(57)【要約】【課題】小型化を図ることができるプロジェクタを提供する。【解決手段】画像８を投影するためのプロジェクタ２であって、光を出射する第１のレーザ光源１８、第２のレーザ光源２０及び第３のレーザ光源２２と、光を反射するミラー３０と、ミラー３０で反射された反射光３８の光束の範囲を制限するアパーチャ４０を有する絞り部材３２と、を備え、アパーチャ４０は、絞り部材３２の厚み方向に沿って絞り部材３２を貫通して設けられ、絞り部材３２は、入射光４４を遮らないように、且つ、厚み方向と略垂直な方向が反射光３８の光路Ｌ１に対して傾斜するように、配置されている。【選択図】図４
2014197041.tif 000002
【特許請求の範囲】
【請求項１】
画像を投影するためのプロジェクタであって、
光を出射する光源と、
前記光源からの光を反射する反射部材と、
前記反射部材に入射する入射光及び前記反射部材で反射された反射光の一方の光束の範囲を制限するアパーチャを有する絞り部材と、を備え、
前記アパーチャは、前記絞り部材の厚み方向に沿って前記絞り部材を貫通して設けられ、
前記絞り部材は、前記入射光及び前記反射光の他方を遮らないように、且つ、前記厚み方向と略垂直な方向が前記入射光及び前記反射光の一方の光路に対して傾斜するように、配置されている
プロジェクタ。
【請求項２】
前記絞り部材は、前記厚み方向と略垂直な方向が前記入射光及び前記反射光の他方の光路と略平行になるように、配置されている
請求項１に記載のプロジェクタ。
【請求項３】
前記絞り部材は、
前記入射光及び前記反射光の一方が前記アパーチャに入射する側の面である第１の面と、
前記入射光及び前記反射光の一方が前記アパーチャから出射する側の面である第２の面と、を有し、
前記アパーチャは、前記入射光及び前記反射光の一方の光路に沿って長い長孔であり、
前記入射光及び前記反射光の一方の光束の範囲は、前記アパーチャの長手方向における第１の端部の前記第１の面側のエッジにより制限され、且つ、前記アパーチャの長手方向における第２の端部の前記第２の面側におけるエッジにより制限される
請求項１又は２に記載のプロジェクタ。
【請求項４】
前記アパーチャは、前記厚み方向と略平行に前記第１の面から前記第２の面まで延びている
請求項３に記載のプロジェクタ。
【請求項５】
前記絞り部材は、前記厚み方向と略垂直な方向の前記入射光及び前記反射光の一方の光路に対する傾斜角度を調節可能に構成されている
請求項１〜４のいずれか１項に記載のプロジェクタ。
【請求項６】
さらに、前記反射部材で反射された前記反射光を反射するＭＥＭＳミラーを備え、
前記絞り部材は、前記反射部材と前記ＭＥＭＳミラーとの間における前記反射光の光路上に配置されるとともに、前記入射光を遮らないように、且つ、前記厚み方向と略垂直な方向が前記反射光の光路に対して傾斜するように、配置されている
請求項１〜５のいずれか１項に記載のプロジェクタ。
【発明の詳細な説明】
【技術分野】
【０００１】
本発明は、画像を投影するためのプロジェクタに関する。
【背景技術】
【０００２】
例えば、赤色成分（Ｒ）のレーザ光、緑色成分（Ｇ）のレーザ光及び青色成分（Ｂ）のレーザ光を合成して投影面に投影することにより、投影面上にカラーの画像を投影するプロジェクタが知られている（例えば、特許文献１参照）。このプロジェクタは、例えば、ヘッドアップディスプレイ（ＨＵＤ）等として実用化されている。ヘッドアップディスプレイとは、プロジェクタから投影された画像を自動車等のフロントガラスに設けられたコンバイナ（透光性反射部材）で運転者に向けて反射させることにより、運転者がフロントガラスの前方の景色と虚像である画像とを重ねて視認できるようにするものである。
【０００３】
このようなプロジェクタでは、投影される画像の画質低下の原因となるレーザ光の迷光を除去するために、レーザ光の光路上にプレート状の絞り部材が配置されている。迷光とは、画像を投影するためのレーザ光の光路とは異なる光路を進行するレーザ光をいう。絞り部材には、絞り部材の厚み方向に絞り部材を貫通するアパーチャ（開口部）が設けられている。レーザ光がアパーチャを通過する際に、レーザ光の光束の範囲がアパーチャによって制限されることにより、レーザ光の迷光を除去することができる。
【先行技術文献】
【特許文献】
【０００４】
【特許文献１】特開２００４−２２６６３１号公報
【発明の概要】
【発明が解決しようとする課題】
【０００５】
しかしながら、上述した従来のプロジェクタでは、次のような課題が生じる。絞り部材は、アパーチャに入射するレーザ光の光路に対して略垂直となるように配置されている。そのため、例えば絞り部材がミラーで反射されたレーザ光の光路上に配置されている場合には、絞り部材がミラーに入射する光を遮らないように、絞り部材とミラーとの間に比較的大きいスペースを確保しなければならない。その結果、絞り部材とミラーとの間に生じるデッドスペースが大きくなり、プロジェクタが大型化してしまうという課題が生じる。
【０００６】
本発明は、上述した課題を解決しようとするものであり、その目的は、小型化を図ることができるプロジェクタを提供することである。
【課題を解決するための手段】
【０００７】
上記目的を達成するために、本発明の一態様に係るプロジェクタは、画像を投影するためのプロジェクタであって、光を出射する光源と、前記光源からの光を反射する反射部材と、前記反射部材に入射する入射光及び前記反射部材で反射された反射光の一方の光束の範囲を制限するアパーチャを有する絞り部材と、を備え、前記アパーチャは、前記絞り部材の厚み方向に沿って前記絞り部材を貫通して設けられ、前記絞り部材は、前記入射光及び前記反射光の他方を遮らないように、且つ、前記厚み方向と略垂直な方向が前記入射光及び前記反射光の一方の光路に対して傾斜するように、配置されている。
【０００８】
本態様によれば、絞り部材は、入射光及び反射光の他方を遮らないように、且つ、絞り部材の厚み方向と略垂直な方向が入射光及び反射光の一方の光路に対して傾斜するように、配置されている。これにより、絞り部材と反射部材との間に確保すべきスペースを小さく抑えることができ、プロジェクタの小型化を図ることができる。さらに、上述したように絞り部材の厚み方向と略垂直な方向が入射光及び反射光の一方の光路に対して傾斜しているので、反射光に対するアパーチャの位置の調節量は、絞り部材の位置の調節量よりも小さくなる。その結果、絞り部材の位置を精度良く調節することができる。なお、本願明細書において、「絞り部材の厚み方向に沿って絞り部材を貫通して」とは、絞り部材の厚み方向と略平行に絞り部材を貫通する場合だけでなく、絞り部材の厚み方向に対して傾斜して絞り部材を貫通する場合をも含む概念である。
【０００９】
例えば、本発明の一態様に係るプロジェクタにおいて、前記絞り部材は、前記厚み方向と略垂直な方向が前記入射光及び前記反射光の他方の光路と略平行になるように、配置されているように構成してもよい。
【００１０】
本態様によれば、絞り部材は、その厚み方向と略垂直な方向が入射光及び反射光の他方の光路と略平行になるように、配置されている。これにより、入射光及び反射光の他方を遮らないように絞り部材を配置することができる。
【００１１】
例えば、本発明の一態様に係るプロジェクタにおいて、前記絞り部材は、前記入射光及び前記反射光の一方が前記アパーチャに入射する側の面である第１の面と、前記入射光及び前記反射光の一方が前記アパーチャから出射する側の面である第２の面と、を有し、前記アパーチャは、前記入射光及び前記反射光の一方の光路に沿って長い長孔であり、前記入射光及び前記反射光の一方の光束の範囲は、前記アパーチャの長手方向における第１の端部の前記第１の面側のエッジにより制限され、且つ、前記アパーチャの長手方向における第２の端部の前記第２の面側におけるエッジにより制限されるように構成してもよい。
【００１２】
本態様によれば、アパーチャは、入射光及び反射光の一方の光路に沿って長い長孔であるので、入射光及び反射光の一方の光束の範囲をアパーチャの第１の端部及び第２の端部の各々のエッジにより制限することができる。
【００１３】
例えば、本発明の一態様に係るプロジェクタにおいて、前記アパーチャは、前記厚み方向と略平行に前記第１の面から前記第２の面まで延びているように構成してもよい。
【００１４】
本態様によれば、アパーチャは、絞り部材の厚み方向と略平行に第１の面から第２の面まで延びているので、反射光に対するアパーチャの位置の調節を容易に行うことができる。
【００１５】
例えば、本発明の一態様に係るプロジェクタにおいて、前記絞り部材は、前記厚み方向と略垂直な方向の前記入射光及び前記反射光の一方の光路に対する傾斜角度を調節可能に構成されているように構成してもよい。
【００１６】
本態様によれば、絞り部材の厚み方向と略垂直な方向の入射光及び反射光の一方の光路に対する傾斜角度を調節可能であるので、絞り部材の位置をより一層精度良く調節することができる。
【００１７】
例えば、本発明の一態様に係るプロジェクタにおいて、さらに、前記反射部材で反射された前記反射光を反射するＭＥＭＳミラーを備え、前記絞り部材は、前記反射部材と前記ＭＥＭＳミラーとの間における前記反射光の光路上に配置されるとともに、前記入射光を遮らないように、且つ、前記厚み方向と略垂直な方向が前記反射光の光路に対して傾斜するように、配置されているように構成してもよい。
【００１８】
本態様によれば、ＭＥＭＳミラーが配置されている場合に、当該ＭＥＭＳミラーと反射部材との間に確保すべきスペースを小さく抑えることができる。
【発明の効果】
【００１９】
本発明の一態様に係るプロジェクタによれば、絞り部材と反射部材との間に確保すべきスペースを小さく抑えることができ、プロジェクタの小型化を図ることができる。
【図面の簡単な説明】
【００２０】
【図１】実施の形態１に係るプロジェクタを搭載したヘッドアップディスプレイを示す図である。
【図２】実施の形態１に係るプロジェクタにより投影される画像の一例を示す図である。
【図３】実施の形態１に係るプロジェクタの構成を簡略的に示す図である。
【図４】実施の形態１に係るプロジェクタの構成の一部を示す斜視図である。
【図５】図４中のＡ−Ａ線により切断した絞り部材及びミラーを示す要部断面図である。
【図６】絞り部材の位置を調節する方法を説明するための要部断面図である。
【図７】実施の形態２に係るプロジェクタの構成の一部を示す斜視図である。
【図８】図７中のＢ−Ｂ線により切断した絞り部材及びミラーを示す要部断面図である。
【図９】実施の形態３に係るプロジェクタの構成の一部を示す斜視図である。
【図１０】図９中のＣ−Ｃ線により切断した絞り部材及びミラーを示す要部断面図である。
【発明を実施するための形態】
【００２１】
以下、実施の形態に係るプロジェクタについて、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２２】
（実施の形態１）
［プロジェクタの概要］
まず、図１及び図２を参照しながら、実施の形態１に係るプロジェクタの概要について説明する。図１は、実施の形態１に係るプロジェクタを搭載したヘッドアップディスプレイを示す図である。図２は、実施の形態１に係るプロジェクタにより投影される画像の一例を示す図である。
【００２３】
図１に示すように、本実施の形態のプロジェクタ２は、例えばヘッドアップディスプレイに搭載されている。プロジェクタ２は、例えば、自動車４のダッシュボード６の内部に設置されている。プロジェクタ２から投影された画像８は、自動車４のフロントガラス１０に設けられたコンバイナ１２で運転者１４に向けて反射される。これにより、図２に示すように、運転者１４は、フロントガラス１０の前方の景色１６と虚像である画像８とを重ねて視認することができる。フロントガラス１０（以下、「投影面１０」ともいう）に投影される画像８は、例えば、スピードメータ表示及び道路の分岐案内表示等である。
【００２４】
［プロジェクタの全体構成］
次に、図３及び図４を参照しながら、実施の形態１に係るプロジェクタの全体構成について説明する。図３は、実施の形態１に係るプロジェクタの構成を簡略的に示す図である。図４は、実施の形態１に係るプロジェクタの構成の一部を示す斜視図である。
【００２５】
本実施の形態のプロジェクタ２は、赤色成分（Ｒ）のレーザ光、緑色成分（Ｇ）のレーザ光及び青色成分（Ｂ）のレーザ光（これらのレーザ光の各々は光を構成する）を合成して投影面１０に投影することにより、投影面１０上にカラーの画像８を投影するレーザプロジェクタである。
【００２６】
図３に示すように、プロジェクタ２は、第１のレーザ光源１８、第２のレーザ光源２０、第３のレーザ光源２２（第１のレーザ光源１８、第２のレーザ光源２０及び第３のレーザ光源２２の各々は光源を構成する）、第１のダイクロイックミラー２４及び第２のダイクロイックミラー２６を備えている。
【００２７】
第１のレーザ光源１８、第２のレーザ光源２０及び第３のレーザ光源２２はそれぞれ、特定の波長の単色色成分のレーザ光を出射するレーザダイオード（ＬＤ）である。具体的には、第１のレーザ光源１８は赤色成分のレーザ光を出射し、第２のレーザ光源２０は緑色成分のレーザ光を出射し、第３のレーザ光源２２は青色成分のレーザ光を出射する。
【００２８】
第１のダイクロイックミラー２４及び第２のダイクロイックミラー２６はそれぞれ、特定の波長のレーザ光のみを反射し、その他の波長のレーザ光を透過する光学的性質を有している。具体的には、第１のダイクロイックミラー２４は、緑色成分のレーザ光のみを反射し、その他の色成分のレーザ光を透過する。第２のダイクロイックミラー２６は、赤色成分のレーザ光のみを反射し、その他の色成分のレーザ光を透過する。
【００２９】
第１のダイクロイックミラー２４は、レーザ光の光路の上流側に配置され、第２のダイクロイックミラー２６は、レーザ光の光路の下流側に配置されている。第２のレーザ光源２０からの緑色成分のレーザ光は、第１のダイクロイックミラー２４で反射され、第３のレーザ光源２２からの青色成分のレーザ光は、第１のダイクロイックミラー２４を透過する。これにより、緑色成分のレーザ光及び青色成分のレーザ光が第１のダイクロイックミラー２４において合成される。
【００３０】
さらに、第１のレーザ光源１８からの赤色成分のレーザ光は、第２のダイクロイックミラー２６で反射され、上述のように合成された緑色成分のレーザ光及び青色成分のレーザ光は、第２のダイクロイックミラー２６を透過する。これにより、赤色成分のレーザ光、緑色成分のレーザ光及び青色成分のレーザ光が第２のダイクロイックミラー２６において合成される。
【００３１】
図３及び図４に示すように、プロジェクタ２は、さらに、レンズ２８、ミラー３０（反射部材を構成する）、絞り部材３２、第１のＭＥＭＳ（Ｍｉｃｒｏ  Ｅｌｅｃｔｒｏ  Ｍｅｃｈａｎｉｃａｌ  Ｓｙｓｔｅｍｓ）ミラー３４及び第２のＭＥＭＳミラー３６（第１のＭＥＭＳミラー３４及び第２のＭＥＭＳミラー３６の各々はＭＥＭＳミラーを構成する）を備えている。
【００３２】
レンズ２８は、上述のように第２のダイクロイックミラー２６において合成されたレーザ光を集光するための集光レンズである。ミラー３０は、レンズ２８により集光されたレーザ光を第１のＭＥＭＳミラー３４に向けて反射するためのミラーである。
【００３３】
絞り部材３２は、ミラー３０と第１のＭＥＭＳミラー３４との間における、ミラー３０で反射されたレーザ光である反射光３８の光路Ｌ１（後述する図５参照）上に配置されている。絞り部材３２は、プレート状に構成されており、反射光３８の光束の範囲を制限するアパーチャ４０を有している。反射光３８がアパーチャ４０を通過することにより、反射光３８に含まれる迷光５０（後述する図５参照）が除去される。本実施の形態のプロジェクタ２では、絞り部材３２の構成及び配置にそれぞれ特徴がある。絞り部材３２の構成及び配置については後述する。
【００３４】
第１のＭＥＭＳミラー３４は、図４中の矢印Ｘで示すように、水平方向に比較的高速で走査される。第２のＭＥＭＳミラー３６は、図４中の矢印Ｙで示すように、垂直方向に比較的低速で走査される。第１のＭＥＭＳミラー３４及び第２のＭＥＭＳミラー３６の各々は、入射したレーザ光を自己の振れ角に応じた方向に反射する。絞り部材３２のアパーチャ４０により迷光５０が除去された反射光３８は、第１のＭＥＭＳミラー３４で反射された後に、第２のＭＥＭＳミラー３６で反射される。第１のＭＥＭＳミラー３４及び第２のＭＥＭＳミラー３６がそれぞれ水平方向及び垂直方向に走査されることにより、投影面１０に投影されるレーザ光が水平方向及び垂直方向に走査され、投影面１０に画像８が投影される。
【００３５】
図３に示すように、プロジェクタ２は、さらに、制御部４２を備えている。制御部４２は、第１のレーザ光源１８、第２のレーザ光源２０及び第３のレーザ光源２２の各々に供給される駆動電流を制御する。さらに、制御部４２は、第１のＭＥＭＳミラー３４及び第２のＭＥＭＳミラー３６の各々の振れ角を制御する。
【００３６】
なお、図３に示すように、プロジェクタ２の上述した各構成要素は、例えばハウジング４３の内部に所定の配置で収納されている。
【００３７】
［絞り部材の構成及び配置］
次に、図５及び図６をも参照しながら、上述した絞り部材３２の構成及び配置について説明する。図５は、図４中のＡ−Ａ線により切断した絞り部材及びミラーを示す要部断面図である。図６は、絞り部材の位置を調節する方法を説明するための要部断面図である。
【００３８】
図５に示すように、絞り部材３２は、反射光３８がアパーチャ４０に入射する側の面である第１の面３２ａと、反射光３８がアパーチャ４０から出射する側の面である第２の面３２ｂと、を有している。アパーチャ４０は、反射光３８の光路Ｌ１に沿って長い長孔である。アパーチャ４０は、絞り部材３２の厚み方向（図５中の矢印Ｚで示す方向）と略平行に、第１の面３２ａから第２の面３２ｂまで絞り部材３２を貫通して延びている。
【００３９】
図５に示すように、絞り部材３２は、その厚み方向と略垂直な方向（図５中の矢印Ｗで示す方向）が反射光３８の光路Ｌ１に対して傾斜角度θ（例えば、約４５°）で傾斜するように、配置されている。この傾斜角度θは、絞り部材３２がミラー３０に入射するレーザ光である入射光４４を遮らないような角度に設定されている。なお、本願明細書において、「傾斜する」とは、ある軸に対して０°よりも大きく且つ９０°よりも小さい角度で斜めに配置されることをいう。さらに、図５に示すように、絞り部材３２は、その厚み方向と略垂直な方向が入射光４４の光路Ｌ２と略平行になるように、配置されている。
【００４０】
図５に示すように、ミラー３０で反射された反射光３８は、アパーチャ４０の第１の面３２ａ側における開口部に入射した後に、アパーチャ４０の第２の面３２ｂ側における開口部から第１のＭＥＭＳミラー３４に向けて出射する。このとき、反射光３８の光束の範囲は、アパーチャ４０の長手方向における第１の端部４０ａの第１の面３２ａ側のエッジ４６により制限され、且つ、アパーチャ４０の長手方向における第２の端部４０ｂの第２の面３２ｂ側におけるエッジ４８により制限される。さらに、反射光３８の光束の範囲は、アパーチャ４０の短手方向における第３の端部４０ｃ及び第４の端部４０ｄの各々の第１の面３２ａ側のエッジ（図示せず）によっても制限される。これにより、反射光３８に含まれる迷光５０を除去することができる。
【００４１】
なお、本実施の形態のプロジェクタ２では、上述のように絞り部材３２が配置されているので、例えばプロジェクタ２の組み立て時等において、次のように絞り部材３２の位置を精度良く調節することができる。図６に示すように、入射光４４が入射角α（α＜４５°）でミラー３０に入射する場合、反射光３８は、入射角β（＝９０°−２α）でアパーチャ４０に入射する。これにより、絞り部材３２の位置を図６中の矢印Ｐで示す方向に調節量Ｄ１だけ調節した場合には、反射光３８に対するエッジ４６の位置は、反射光３８に対して調節量Ｄ２（＝Ｄ１ｃｏｓβ＜Ｄ１）だけ調節される。従って、反射光３８に対するエッジ４６の位置の調節量Ｄ２は、絞り部材３２の位置の調節量Ｄ１よりも小さいので、絞り部材３２の位置を精度良く調節することができる。
【００４２】
［効果］
次に、本実施の形態のプロジェクタ２により得られる効果について説明する。上述のように絞り部材３２を配置することにより、絞り部材３２とミラー３０との間に確保すべきスペースを小さく抑えることができる。その結果、プロジェクタ２の小型化を図ることができる。
【００４３】
（実施の形態２）
次に、図７及び図８を参照しながら、実施の形態２に係るプロジェクタの構成について説明する。図７は、実施の形態２に係るプロジェクタの構成の一部を示す斜視図である。図８は、図７中のＢ−Ｂ線により切断した絞り部材及びミラーを示す要部断面図である。なお、以下の各実施の形態において、上記実施の形態１と同一の構成要素には同一の符号を付して、その説明を省略する。
【００４４】
図７に示すように、本実施の形態のプロジェクタ２Ａでは、絞り部材３２Ａの両端部にそれぞれ回転軸５２，５４が設けられている。これら回転軸５２，５４の各々は、軸受（図示せず）に回転自在に支持されている。なお、回転軸５２，５４の各々は、反射光３８の光路Ｌ１と略垂直に配置されている。回転軸５２の先端部には、つまみ５６が取り付けられている。つまみ５６を指等で摘んで回転させることにより、絞り部材３２Ａは、回転軸５２，５４を中心として図７中の矢印Ｒで示す方向に回転される。これにより、図８に示すように、絞り部材３２Ａの厚み方向と略垂直な方向の反射光３８の光路Ｌ１に対する傾斜角度θを調節することができる。なお、つまみ５６には、傾斜角度θの調節が完了した際に、つまみ５６の回転をロックするロック機構（図示せず）が設けられている。
【００４５】
本実施の形態のプロジェクタ２Ａでは、次のような効果を得ることができる。すなわち、上記実施の形態１で説明した方法で絞り部材３２の位置を調節することに加えて、本実施の形態で説明した方法で傾斜角度θを調節することにより、反射光３８に対するエッジ４６の位置をより一層精度良く調節することができる。
【００４６】
（実施の形態３）
次に、図９及び図１０を参照しながら、実施の形態３に係るプロジェクタの構成について説明する。図９は、実施の形態３に係るプロジェクタの構成の一部を示す斜視図である。図１０は、図９中のＣ−Ｃ線により切断した絞り部材及びミラーを示す要部断面図である。
【００４７】
図９に示すように、本実施の形態のプロジェクタ２Ｂでは、絞り部材３２Ｂは、ミラー３０とレンズ２８との間における、ミラー３０に入射する入射光４４の光路Ｌ２上に配置されている。
【００４８】
図１０に示すように、絞り部材３２Ｂは、その厚み方向（図１０中の矢印Ｚで示す方向）と略垂直な方向（図１０中の矢印Ｗで示す方向）が入射光４４の光路Ｌ２に対して傾斜角度φで傾斜するように、配置されている。この傾斜角度φは、絞り部材３２Ｂがミラー３０で反射された反射光３８を遮らないような角度に設定されている。さらに、図１０に示すように、絞り部材３２Ｂは、その厚み方向と略垂直な方向が反射光３８の光路Ｌ１と略平行になるように、配置されている。
【００４９】
図１０に示すように、ミラー３０に入射する入射光４４は、アパーチャ４０の第１の面３２ａ（すなわち、入射光４４がアパーチャ４０に入射する側の面）側における開口部に入射した後に、アパーチャ４０の第２の面３２ｂ（すなわち、入射光４４がアパーチャ４０から出射する側の面）側における開口部からミラー３０に向けて出射する。このとき、入射光４４の光束の範囲は、アパーチャ４０の長手方向における第１の端部４０ａの第１の面３２ａ側のエッジ４６により制限され、且つ、アパーチャ４０の長手方向における第２の端部４０ｂの第２の面３２ｂ側におけるエッジ４８により制限される。これにより、入射光４４に含まれる迷光５８を除去することができる。
【００５０】
以上、本発明の実施の形態１〜３に係るプロジェクタについて説明したが、本発明は、これらの実施の形態に限定されるものではない。例えば、上記各実施の形態を組み合わせるようにしてもよい。
【００５１】
上記各実施の形態では、プロジェクタが自動車用のヘッドアップディスプレイに搭載される場合について説明したが、これに限定されず、プロジェクタは、例えば航空機用のヘッドアップディスプレイに搭載することもできる。
【００５２】
上記各実施の形態では、プロジェクタがヘッドアップディスプレイに搭載される場合について説明したが、これに限定されず、プロジェクタは、例えば壁等に設置されたスクリーン上に画像を投影するための投影機として用いることもできる。
【００５３】
上記各実施の形態では、プロジェクタに２個のＭＥＭＳミラー（第１のＭＥＭＳミラー及び第２のＭＥＭＳミラー）を設けたが、水平方向及び垂直方向にそれぞれ走査可能な１個のＭＥＭＳミラーを設けることもできる。
【００５４】
上記各実施の形態では、光源としてレーザ光源を用いたが、これに限定されず、光源として例えばＬＥＤ（Ｌｉｇｈｔ  Ｅｍｉｔｔｉｎｇ  Ｄｉｏｄｅ）光源等を用いることもできる。
【００５５】
上記各実施の形態では、アパーチャは、絞り部材の厚み方向と略平行に、第１の面から第２の面まで絞り部材を貫通して延びているが、これに限定されず、アパーチャは、例えば絞り部材の厚み方向に対して傾斜して（換言すると、入射光又は反射光の光路と略平行に）、第１の面から第２の面まで絞り部材を貫通して延びていてもよい。
【産業上の利用可能性】
【００５６】
本発明は、例えば、画像を投影するためのプロジェクタとして適用することができる。
【符号の説明】
【００５７】
２，２Ａ，２Ｂ  プロジェクタ
４  自動車
６  ダッシュボード
８  画像
１０  フロントガラス（投影面）
１２  コンバイナ
１４  運転者
１６  風景
１８  第１のレーザ光源
２０  第２のレーザ光源
２２  第３のレーザ光源
２４  第１のダイクロイックミラー
２６  第２のダイクロイックミラー
２８  レンズ
３０  ミラー
３２，３２Ａ，３２Ｂ  絞り部材
３２ａ  第１の面
３２ｂ  第２の面
３４  第１のＭＥＭＳミラー
３６  第２のＭＥＭＳミラー
３８  反射光
４０  アパーチャ
４０ａ  第１の端部
４０ｂ  第２の端部
４０ｃ  第３の端部
４０ｄ  第４の端部
４２  制御部
４３  ハウジング
４４  入射光
４６，４８  エッジ
５０，５８  迷光
５２，５４  回転軸
５６  つまみ
Ｌ１，Ｌ２  光路
【図１】
2014197041.tif 000003
【図２】
2014197041.tif 000004
【図３】
2014197041.tif 000005
【図４】
2014197041.tif 000006
【図５】
2014197041.tif 000007
【図６】
2014197041.tif 000008
【図７】
2014197041.tif 000009
【図８】
2014197041.tif 000010
【図９】
2014197041.tif 000011
【図１０】
2014197041.tif 000012